(57)【要約】    【課題】ルーバー窓に容易に装着でき、防犯性に優れたセンサーが望まれていた。    【解決手段】ルーバー窓のガラス板２に装着される複数のクリップセンサー１１を備える。各クリップセンサー１１にはマイクロスイッチ１４が備えられている。各クリップセンサー１１間は、同軸シールド線または３芯シールド線等で電気的に配線されている。各クリップセンサー１１間をつなぐ配線の長さは、ルーバー窓のガラス板の配列ピッチに対応した一定長さにされている。さらに、配線１５を介して報知装置１３が備えられている。    【効果】ルーバー窓を構成するいずれかのガラス板が外されたり、配線が引きちぎられる等することにより、アラームによる報知が行われる。【選択図】            図１１
2007039991.tif 000002
【特許請求の範囲】
【請求項１】
複数枚のガラス板が配列され、各ガラス板の配置角度を変更可能なルーバー窓用の防犯センサーであって、
ルーバー窓のガラス板に取り付け可能なクリップおよびガラス板との取り付け状態が変化することに応答して切り換わるスイッチとを含み、ルーバー窓のガラス板の枚数に応じて用意された複数のクリップセンサーと、
前記複数のクリップセンサー間を接続する配線であって、クリップセンサー間をつなぐ線の長さが、ルーバー窓のガラス板の配列ピッチに対応した一定の長さになっている配線と、
前記配線を介して複数のクリップセンサーと接続されている報知装置と、
を有することを特徴とするルーバー窓用防犯センサー。
【請求項２】
前記複数のクリップセンサーは、それぞれ、クリップを有するホルダーと、
ホルダーに収容され、ホルダーがガラス板から外れたとき、またはガラス板に対してホルダーが変形したときに切り換わるスイッチと、を含むことを特徴とする、請求項１記載のルーバー窓用防犯センサー。
【請求項３】
前記配線は、同軸のシールド線を含むことを特徴とする、請求項１または２記載のルーバー窓用防犯センサー。
【請求項４】
前記配線は、３芯ケーブルを含むことを特徴とする、請求項１または２記載のルーバー窓用防犯センサー。
【請求項５】
前記報知装置は、いずれかのクリップセンサーのスイッチがオンしたとき、防犯センサーを特定する識別信号を所定の装置へ送信するための送信機を含むことを特徴とする、請求項１〜３のいずれかに記載のルーバー窓用防犯センサー。
【発明の詳細な説明】
【技術分野】
【０００１】
この発明は、ルーバー窓（複数枚の細長いガラス板が羽重ねに配列され、各ガラス板の配置角度を変更可能な構成の窓をいう。）に装着可能な防犯センサーに関する。
【背景技術】
【０００２】
ルーバー窓は、その構成上、換気や採光を確保できるので、主に、浴室やキッチン等に使われている。
最近では、かかるルーバー窓を壊し、住宅に侵入する窃盗の手口が発生している。
そこで、泥棒がルーバー窓から侵入するのを防ぐために、ルーバー窓のガラス板自体を強化するといった提案（特許文献１参照）や、ルーバー等の内側に、防犯内格子を設けるといった提案（特許文献２参照）がなされている。
【特許文献１】特開２００５−１２０８１２号公報
【特許文献２】特開２００４−３６０３４５号公報
【発明の開示】
【発明が解決しようとする課題】
【０００３】
ルーバー窓は、その構成上、細長いガラス板の左右両端部が、ガラス受によって固定された構成をしている。そして、ガラス受をペンチ等で無理曲げすることによって、ガラス受からガラス板を外すことができる。
従って、特許文献１のように、ルーバー窓用のガラス板を強化しても、ガラス板自体がガラス受から取り外されると、防犯上役には立たない。
【０００４】
また、細長いガラス板が外されると、特許文献２のように、その内方に内格子が設けられていても、内格子もたとえば金鋸等で容易に切断でき、泥棒の侵入を可能にしてしまう。
最近は泥棒の侵入手口も巧妙になっており、ルーバー窓に対して、防犯性に優れた装置であって、容易に装着でき、しかもルーバー窓の機能を損なわないものが切望されていた。
【０００５】
この発明は、かかる背景に基づいてなされたもので、既設のルーバー窓に対して簡単に装着することができ、かつ、防犯性能の高いルーバー窓用防犯センサーを提供することを主たる目的とする。
この発明は、また、侵入者がルーバー窓から侵入しようとする際、ルーバー窓に防犯装置が設けられており、侵入が困難であることを容易に察知できるルーバー窓用防犯センサーを提供することを他の目的とする。
【課題を解決するための手段】
【０００６】
請求項１記載の発明は、複数枚のガラス板が配列され、各ガラス板の配置角度を変更可能なルーバー窓用の防犯センサーであって、ルーバー窓のガラス板に取り付け可能なクリップおよびガラス板との取り付け状態が変化することに応答して切り換わるスイッチとを含み、ルーバー窓のガラス板の枚数に応じて用意された複数のクリップセンサーと、前記複数のクリップセンサー間を接続する配線であって、クリップセンサー間をつなぐ線の長さが、ルーバー窓のガラス板の配列ピッチに対応した一定の長さになっている配線と、前記配線を介して複数のクリップセンサーと接続されている報知装置と、を有することを特徴とするルーバー窓用防犯センサーである。
【０００７】
請求項２記載の発明は、前記複数のクリップセンサーは、それぞれ、クリップを有するホルダーと、ホルダーに収容され、ホルダーがガラス板から外れたとき、またはガラス板に対してホルダーが変形したときに切り換わるスイッチと、を含むことを特徴とする、請求項１記載のルーバー窓用防犯センサーである。
請求項３記載の発明は、前記配線は、同軸のシールド線を含むことを特徴とする、請求項１または２記載のルーバー窓用防犯センサーである。
【０００８】
請求項４記載の発明は、前記配線は、３芯ケーブルを含むことを特徴とする、請求項１または２記載のルーバー窓用防犯センサーである。
請求項５記載の発明は、前記報知装置は、いずれかのクリップセンサーのスイッチがオンしたとき、防犯センサーを特定する識別信号を所定の装置へ送信するための送信機を含むことを特徴とする、請求項１〜３のいずれかに記載のルーバー窓用防犯センサーである。
【発明の効果】
【０００９】
請求項１記載の発明によれば、複数のクリップセンサーは、ルーバー窓のガラス板の枚数に応じて用意されており、たとえばルーバー窓を構成する複数枚のガラス板の全てに装着することができる。従って、ルーバー窓を構成する複数枚のガラス板のどのガラス板を外そうとしても、ガラス板が外されることによりスイッチが切り換わり、侵入者が侵入しようとしていることが報知される。
【００１０】
また、複数のクリップセンサー間を接続する配線は、全て一定の同じ長さであり、ルーバー窓を構成する複数枚のガラス板の配列ピッチに対応した長さとされている。従って、各ガラス板に取り付けられた複数のクリップセンサー間を接続する配線は、ほぼ弛むことなくクリップセンサー間をつないでいる。それゆえ、ガラス板とガラス板との間から配線を切断しようと配線が引っ張られたときには、引っ張られた配線がクリップセンサーに張力を加え、クリップセンサーがガラス板に対して変位して、スイッチが切り換わる。
【００１１】
このように、配線を取り除こうとしたときも、確実に侵入者の侵入動作が報知されるので、センサーの防犯性能が高い。
請求項２記載の発明では、クリップセンサーは、ホルダーと、スイッチとが別体で構成されており、比較的簡単に製作できる。たとえば、ホルダーは、樹脂の一体成形で作り、かつ、外力が加わることにより変形可能な部材とする。スイッチは、たとえばマイクロスイッチ等で構成し、それをホルダー内に収容すればよい。
【００１２】
請求項３記載の発明では、配線が同軸のシールドケーブルで構成されており、刃物等に対する切断、引きちぎりのいずれに対しても、配線が切断されたときに確実に警報を発するようにできる。
請求項４記載の発明のように、配線を３芯ケーブルにすれば、配線の切断、引きちぎりに対してより検出性能が確実になる。
【００１３】
請求項５記載の発明では、ルーバー窓に設けられた防犯センサーだけでなく、ルーバー窓から離れた居間、あるいは家屋外にある防犯センター等に対して、ルーバー窓からの侵入が報知されるので、侵入者がルーバー窓から侵入するおそれを確実に知らせることができ、防犯性能を高めることができる。
【発明を実施するための最良の形態】
【００１４】
図１Ａは、ルーバー窓を外側から見た図であり、図１Ｂはルーバー窓を部屋側から見た図である。図１Ａ，Ｂを参照して、ルーバー窓は、たとえば縦長の窓枠１によって形成された開口が、複数枚（図示の例では６枚）の細長いガラス板２によって塞がれている。複数枚のガラス板２は、縦方向に羽重ねに配列され、下方のガラス板２の上辺上に上方のガラス板２の下辺が重なるように配置されている。そして、各ガラス板２は、その左右両端が、それぞれ、ガラス受３によって保持されている。各ガラス受３にはアーム４が備えられており、ハンドル５を回転させることにより、アーム４の角度が変化し、ガラス板２の配置角度が変化して、ガラス板２間に隙間が生じ、換気や採光ができる。
【００１５】
図２は、ルーバー窓を部屋側から見た斜視図で、ルーバー窓にこの発明の一実施形態に係る防犯センサー１０が装着された状態を示している。
図２を参照して、防犯センサー１０は、複数個（この実施形態では４個）のクリップセンサー１１と、１つの報知装置付センサー１２とを含んでいる。クリップセンサー１１の数は、ルーバー窓を構成するガラス板の枚数に応じて変えられる。たとえば、図２の例では、ルーバー窓は６枚のガラス板で構成されているから、６枚のガラス板のうち上から５枚のガラス板に対してセンサーが装着できるように、４つのクリップセンサー１１および１つの報知装置付センサー１２を有している。最下方のガラス板２にはセンサーは装着されていない。この理由は、最下方のカラス板だけが取り外されても、それだけではルーバー窓から侵入者は侵入することができず、さらにガラス板を外す必要があるからである。従って、この実施形態では、ルーバー窓を構成する全てのガラス板にセンサーを装着するものではなく、たとえば最下方のガラス板、または上下各１枚のガラス板にはセンサーは装着しなくてもよい構成とされている。
【００１６】
クリップセンサー１１および報知装置付センサー１２は、ガラス板２の側端部に取り付けられており、ガラス板２を通しての採光の妨げにはならないようにされている。
この実施形態の特徴は、侵入者がガラス板２を抜き取ると、クリップセンサー１１のスイッチが切り換わり、報知装置付センサー１２の報知装置１３が動作し、その内部に備えられた送信機からたとえば家屋内に設けられた受信機にルーバー窓を特定するＩＤ番号を送信し、受信機が威嚇のアラームを発生して住人に知らせる等の構成になっていることである。
【００１７】
また、この実施形態では、ガラス板２が抜き取られたときのみならず、ルーバー窓の動きを利用して、各クリップセンサー１１および報知装置付センサー１２間を接続する配線が引っ張られたときや配線が切断されたときにも、それが検知されてアラームが出る構成になっている。
図３は、ルーバー窓の動きを表わすために描いたルーバー窓の縦断面の図解図である。前述したように、ハンドル５（図１または図２参照）を回転させることにより、ガラス板２の角度を変化させて、ルーバー窓は閉じた状態と開いた状態との間を変化させることができる。
【００１８】
図３Ａは閉まった状態、図３Ｂは半開状態、図３Ｃは全開状態を示している。各図において、左側が窓の外側、右側が部屋側である。ガラス受３は、外受板３１および内受板３２を有し、その間に挿入されるガラス板２の端部を保持する。ガラス受３には部屋側に突出するアーム４が固定されている。アーム４のガラス受３寄りの位置には支点６が備えられている。また、アーム４の突出端側には作用点７が備えられている。上下に並ぶアーム４の各作用点７は、連結バー８でつながれている。なお、連結バー８は、上下方向に延びる実線１本によって図解的に示されている。
【００１９】
連結バー８でつながれた複数のアーム４は、ハンドル５（図１参照）が回転されることにより、支点６を中心に回動し、図３のＡ→Ｂ→Ｃ→Ｂ→Ａと変位し得る。
ところで、図３Ａにおいて、上下に並ぶ３つのガラス受３における上方の内受板３２の上端ａ１と、中央の内受板３２の上端ａ２との距離ａ１−ａ２と、中央の内受板３２の上端ａ２と下方の内受板３２の上端ａ３との距離ａ２−ａ３とは等しく、しかも、これらの距離は、図３Ｂおよび図３Ｃに示すように、ルーバー窓が半開状態および全開状態になっても、変わることがない。
【００２０】
すなわち、図３において、ａ１−ａ２＝ａ２−ａ３＝ｂ１−ｂ２＝ｂ２−ｂ３＝ｃ１−ｃ２＝ｃ２−ｃ３
の関係がある。
本願発明の発明者は、ルーバー窓における各ガラス受３間の上記関係に着目し、各ガラス板２に取り付けられるセンサー同士を接続する配線の長さを、上記ガラス受３間の距離（ａ１−ａ２など）と等しい長さとし、センサー間を接続する配線が、ルーバー窓に取り付けられた状態で、常にほぼ真っ直ぐに延びた状態に保たれるようにした。つまり、センサー間の配線長を、ガラス板の配列ピッチに対応した一定長さとした。
【００２１】
図４は、図３に対応させて描いたルーバー窓の縦断面の図解図で、各ガラス板２にクリップセンサー１１が装着された状態の図解図である。
図４Ａ，Ｂ，Ｃにおいて、１１（１１Ｕ，１１Ｍ，１１Ｄ）はクリップセンサー、１４は各クリップセンサー１１に備えられているスイッチ（マイクロスイッチ）であり、太い破線１５ａ，１５ｂは、クリップセンサー１１間を接続している配線を表わしている。上方のクリップセンサー１１Ｕと中央のクリップセンサー１１Ｍとを接続する配線１５ａの長さと、中央のクリップセンサー１１Ｍと下方のクリップセンサー１１Ｄとの間を接続する配線１５ｂとは、その長さが等しい一定長さとされている。そして、前述したように、ルーバー窓が閉じた状態（図４Ａ）、半開状態（図４Ｂ）および全開状態（図４Ｂ）において、上下に並ぶ内受板３２の上端間距離、換言すれば上下に並ぶガラス板２の上端間の距離は、常に一定であるから、配線１５ａおよび１５ｂは、ルーバー窓の開度が変化しても、常に真っ直ぐに延びた状態のまま維持される。
【００２２】
図５Ａは、ルーバー窓におけるガラス受３の具体的構成を示す斜視図である。図５Ａにおいて、３１は外受板、３２は内受板、４はアームであり、６がアーム４の回動支点、７が作用点であり、上下に延びる８が連結バーを表わしている。なお、２はガラス受３で端部が保持されているガラス板である。
図５Ｂは、ガラス板２に装着されたクリップセンサー１１を示している。クリップセンサー１１は、上下に長手のケーシング２１を有し、ケーシング２１の上端には、フック状のクリップ２２が形成されている。ケーシング２１とクリップ２２により、ガラス板２を、上辺から挟むように、ガラス板２に装着することができる。ケーシング２１には、側方へ突出するスイッチ収容室２３が備えられている。スイッチ収容室２３は、内受板３２に当接するように設けらている。そして、スイッチ収容室２３内には、マイクロスイッチ１４が収められ、そのアクチュエータは、スイッチ収容室２３と対向する内受板３２によって押し縮められている。
【００２３】
また、ケーシング２１の上端には配線取り出し基準位置２５が形成されている。配線取り出し基準位置２５は、この位置から上方へ延びる配線の長さを決める基準位置であり、また、この位置から下方へ延びる配線の長さを決める基準位置である。ケーシング２１は、配線取り出し基準位置２５から下方に延びる配線と干渉しないように、上下に長手のスリット２６が形成されていて、ルーバー窓が閉じたときに、配線取り出し基準位置２５から下方へ延びる配線がケーシング２１と干渉しないように配慮されている。なお、スリット２６に代えて、後述する図１４のように、ケーシング２１の一部を、下方に向かって前後方向の厚みが薄くなるテーパー状としてもよい。
【００２４】
次に、この実施形態に係る防犯センサー１０（クリップセンサー１１）がガラス板２に装着された後、ガラス板２が抜き取られるときに、どのようにスイッチ１４が入るか（切り換わるか）について説明をする。
図６は、ルーバー窓のガラス板２が抜かれたときの防犯センサー１０の変化を表わす図解的な縦断面図である。
【００２５】
図６Ａにおいて、上下に並んだ３枚のガラス板２のうちの上方のガラス板２が斜め下方（外側）へ抜き取られる場合を考える。図６Ｂに示すように、ガラス板２が斜め下方へ抜かれると、ガラス受３の内受板３２に接触していたマイクロスイッチ１４のアクチュエータ２７が、内受板３２から外れたときに、突出する。これにより、マイクロスイッチ１４がたとえばオフ状態からオン状態に切り換わり、信号が出力される。
【００２６】
図７は、ルーバー窓のガラス板２を、室内側へ押し込んで外そうとした場合の、防犯センサー１０による検知方法を説明するための図解的な縦断面図である。
図７Ａにおいて、上下に配列されたガラス板２のうちの上方のガラス板２が右斜め上方へ押し上げられて外そうと試みられた場合には、上ガラス板２に装着されたクリップセンサー１１と、真ん中のガラス板２に装着されたクリップセンサー１１とを接続している配線１５ａにより、中央のクリップセンサー１１に上向きの張力が加えられる。
【００２７】
より具体的には、図７Ｂに示すように、配線１５ａによって張力Ｆ１がクリップセンサー１１に加わると、クリップセンサー１１には、配線取り出し基準位置２５を中心に左回りのモーメントが生じ、クリップ２２にはＦ２の力が加わり、ケーシング２１にはＦ３の力が加わって、ケーシング２１の先端がガラス受３の内受板３２から浮き上がる。これにより、マイクロスイッチ１４のアクチュエータ２７が内受板３２から離れて、マイクロスイッチ１４は、たとえばオフ状態からオン状態に切り換わる。
【００２８】
図８は、侵入者が防犯センサー１０の配線１５ａを引きちぎるため等に引っ張った場合の、防犯センサー１０の挙動を説明する図解的な縦断面図である。
図８Ａに示すように、たとえば上方のクリップセンサー１１と中央のクリップセンサー１１との間の配線１５ａが室外側に引っ張られたときには、図８Ｂに示すように、中央のガラス板２に装着されたクリップセンサー１１には、配線取り出し基準位置２５を中心に左回りのモーメントが生じる。すなわち、配線１５ａが引っ張られることにより上向きの力Ｆ１が生じ、これによりクリップ２２は配線取り出し基準位置２５を中心に左方向に捩れ、かつ、ケーシング２１は配線取り出し基準位置２５を中心に左回りの力Ｆ３を受ける。これにより、ケーシング２１の先端が内受板３２から浮き上がり、マイクロスイッチ１４のアクチュエータ２７がオフからオンに切り換わる。
【００２９】
侵入者が、室外側に配線１５ａを引っ張るのに代えて、室内側に配線１５ａを押し込んだ場合にも、中央のクリップセンサー１１は同様の力を受け、マイクロスイッチ１４がオンする。
図９は、同軸シールド線の構成と特徴を説明するための図である。図９Ａに示すように、シールド線は、中央の信号線４１と、信号線４１の周囲を囲む絶縁被覆４２と、絶縁被覆４２の周囲に配置されたアース線４３と、アース線４３の周囲を覆う絶縁被覆４４とを有している。これらは、信号線４１を中心に、図９Ｂに示すように、断面形状が同軸に配置されている。
【００３０】
かかるシールド線を配線１５として用いた場合、配線１５が侵入者によって、鋏、カッター、ナイフ、ニッパーなどで切断される際には、図９Ｃに示すように、切断時に、たとえばカッターの刃（金属）によって、信号線４１とアース線４３とが瞬間的に短絡される。この実施形態では、配線１５が短絡したときに、短絡のトリガパルスが生じる。これは、マイクロスイッチ１４がオンしたときのトリガパルスと同じに扱われ、防犯報知に用いられる。
【００３１】
図１０は、クリップセンサー１１におけるマイクロスイッチ１４のオン状態およびオフ状態を示す図解図である。図１０Ａに示すように、クリップセンサー１１のケーシング２１からマイクロスイッチ１４のアクチュエータ２７が突出していない状態では、マイクロスイッチ１４はオフ状態であり、図１０Ｂに示すように、アクチュエータ２７がケーシング２１からわずかに突出した状態では、マイクロスイッチ１４はオン状態に切り換わる。      
【００３２】
つまり、クリップセンサー１１が、ガラス板２に対して所定の状態にセットされているときには、アクチュエータ２７はケーシング２１から突出せず、マイクロスイッチ１４はオフ状態であるが、侵入者がガラス板２をガラス受３から抜いて外す、配線１５を引きちぎる等の行為を加えることにより、マイクロスイッチ１４はオン状態となる。
図１１は、この発明の一実施形態に係る防犯センサー１０の電気的な回路構成を示すブロック図であり、ルーバー窓に装着された状態の図と対応付けて表わされた図である。
【００３３】
図１１を参照して、複数個のセンサー（この実施形態では４つのクリップセンサー１１および１つの報知装置付センサー１２）は、それぞれ、マイクロスイッチ１４を具備しており、各マイクロスイッチ１４は、報知装置１３に対して同軸シールド線１５ａ，１５ｂ，１５ｃ，１５ｄ，１５ｅで構成された配線１５によって並列接続されている。
報知装置１３には、送信機５１、ＬＥＤ点滅回路５２、リチウムイオン電池５３およびソーラーパネル５４が備えられている。リチウムイオン電池５３は、送信機５１およびＬＥＤ点滅回路５２に対して電源を供給する。ソーラーパネル５４は太陽光等の光を受けて光電変換を行い、生じた電力を電源として送信機５１およびＬＥＤ点滅回路５２に供給するとともに、余った電力はリチウムイオン電池５３の充電に供する。
【００３４】
送信機５１は、配線１５によって並列接続された複数のクリップセンサー１１またはセンサー１２のマイクロスイッチ１４のいずれかがオンしたとき、または、配線１５ａ〜１５ｅが切断等のために瞬間的に短絡されたとき、そのオン信号または短絡パルスを検出して、それに基づきアンテナ５５から識別ＩＤを送信する。送信される識別ＩＤは、たとえば家屋の居間等に設置された中央コントローラで受信され、大きなアラーム音が鳴動される。
【００３５】
ＬＥＤ点滅回路５２は、常時、ＬＥＤ５６を一定間隔で点滅させる。ＬＥＤ５６の点滅は、ルーバー窓の外側から、ガラス板２を通して視認可能になっている。つまり、侵入者は、ルーバー窓のガラス板２を通して、一定間隔で点滅するＬＥＤ５６の光を確認することができ、ルーバー窓に何らかの防犯対策が施されていることを把握し得るようにされている。
【００３６】
かかるＬＥＤ５６の点滅表示により、侵入者がルーバー窓から侵入しようとする行為を未然に防止し得る。
図１２は、この発明の他の実施形態に係る防犯センサー１０の電気的な回路構成を表わすブロック図である。
防犯センサー１０において、配線１５が前述した実施形態のように同軸の２芯のシールド線の場合、侵入者が、たとえばセラミックのナイフで配線１５を切断した場合、状況によっては、切断時に配線が短絡しない可能性がある。
【００３７】
そこで、図１２に示す実施形態では、複数のクリップセンサー１１のマイクロスイッチ１４（Ａ接点）を並列接続する接続ライン１５１，１５２の他に、補助線としてＢ接点のライン１５３を組み込み、配線１５が切断されたり引きちぎられた場合において、回路がショートしてもオープン状態になっても、どちらの場合においても、識別ＩＤが送信できる構成とされている。
【００３８】
図１２において、図１１の構成要素と同一または対応する要素には、同一番号が付されている。図１２の回路では、送信機５１がいずれかのマイクロスイッチ１４の短絡または配線１５の引きちぎりを検知したことに応答して、識別ＩＤがアンテナ５５から送信されると同時に、アラーム発生器５７にアラーム信号が与えられ、スピーカ５８から警報音が発する構成になっている。このように、報知装置１３自身においても、異常時に警報を発する構成とするのが、侵入者の侵入を未然に妨ぐ上で好ましい。
【００３９】
図１２の回路において、配線１５は、図１２Ｂ，Ｃで示すように、３芯のケーブルが用いられている。
３芯のケーブルのうち、１本の線はＡ接点極線（マイクロスイッチ１４のための線）、他方の１本の線はＢ接点極線で、残り１本の線が共通線（アース線）である。
ところで、この種の防犯センサー１０において、誤動作対策を施すことは重要である。防犯センサー１０では、クリップセンサー１１（マイクロスイッチ１４）は、報知装置１３と配線１５で接続されている。このため、配線１５に高周波が回り込むことが懸念される。たとえば、アマチュア無線、携帯電話、違法移動無線等の高周波が配線１５に回り込むことにより、報知装置１３が誤動作を受ける虞れがある。そのための対策としては、図１２に示す回路における３芯ケーブル１５を、図１３Ａ，Ｂに示すような、コモン線がシールド線となって２本の線を取り囲んだ３芯ケーブルを用いればよい。
【００４０】
また、防犯センサー１０では、前述したように、報知装置１３内の送信機５１から識別ＩＤが送信される。ところが、送信機５１と、識別ＩＤを受信する受信機とは双方向の通信を行わないため、仮に、送信機５１が故障していた場合、それを知ることができない。そこで、送信機５１において、正常時には、間欠的に（たとえば１時間間隔で）、識別ＩＤをテスト送信することとし、受信機は、１時間周期で送られてくる識別ＩＤをチェックするようにする。そして、１時間以上識別ＩＤの送信がなければ、送信機５１が異常と判断して、それをユーザに知らせるようにすればよい。
【００４１】
図１４は、防犯センサー１０における各クリップセンサー１１間の配線１５の仕方と、マイクロスイッチ１４との電気的な接続の仕方を表わす斜視図である。
報知装置１３から最も離れた一番上のクリップセンサー１１は、図１５に示すように、配線１５の一部が配線取り出し基準位置２５に掛け回され、マイクロスイッチ２４側の極線に接続されている。
【００４２】
また、残りのクリップセンサー１１では、図１６に示すように配線１５が引き回されている。
なお、図１４のクリップセンサー１１は、ケーシング２１の一部がテーパー状にされ、配線１５が引っ掛からないようにされている。
この発明は、以上説明した実施形態に限定されるものではなく、請求項記載の範囲内において種々の変更が可能である。
【図面の簡単な説明】
【００４３】
【図１】Ａはルーバー窓を外側から見た図であり、Ｂはルーバー窓を部屋側から見た図である。
【図２】ルーバー窓を部屋側から見た斜視図で、ルーバー窓にこの発明の一実施形態に係る防犯センサー１０が装着された状態を示す図である。
【図３】ルーバー窓の動きを表わすために描いたルーバー窓の縦断面の図解図である。そして、Ａはルーバー窓が閉まった状態、Ｂはルーバー窓が半開状態、Ｃはルーバー窓が全開状態を示している。
【図４】図３に対応させて描いたルーバー窓の縦断面の図解図で、各ガラス板２にクリップセンサー１１が装着された状態の図解図である。
【図５】Ａは、ルーバー窓におけるガラス受の具体的な構成を示す斜視図である。Ｂは、ガラス板２に装着されたクリップセンサー１１を示す図である。
【図６】ルーバー窓のガラス板２が抜かれた時の防犯センサー１０の変化を表わす図解的な縦断面図である。
【図７】ルーバー窓のガラス板２を、室内側へ押し込んで外そうとしたときの、防犯センサー１０による検知方法を説明するための図解的な縦断面図である。
【図８】侵入者が防犯センサー１０の配線１５ａを引きちぎるため等に引っ張った場合の、防犯センサー１０の挙動を説明するための図解的な縦断面図である。
【図９】同軸シールドセンサーの構成と特徴を説明するための図である。
【図１０】クリップセンサー１１におけるマイクロスイッチ１１のオン状態およびオフ状態を示す図解図である。
【図１１】この発明の一実施形態に係る防犯センサー１０の電気的な回路構成を示すブロック図であり、ルーバー窓に装着された状態の図と対応付けて表わされた図である。
【図１２】この発明の他の実施形態に係る防犯センサー１０の電気的な回路構成を表わすブロック図である。
【図１３】コモン線がシールド線となって２本の線を取り囲んだ３芯ケーブルの説明図である。
【図１４】防犯センサー１０における各クリップセンサー１１間の配線１５の仕方と、マイクロスイッチ１４との電気的な接続の仕方を表わす斜視図である。
【図１５】報知装置１３から最も離れた一番上のクリップセンサー１１における配線の仕方を説明するための図である。
【図１６】一番上のクリップセンサー以外のクリップセンサーの配線の仕方を表わす図である。
【符号の説明】
【００４４】
２    ガラス板
３    ガラス受
１０    防犯センサー
１１    クリップセンサー
１２    報知装置付センサー
１３    報知装置
１４    マイクロスイッチ
１５    配線
２１    ケーシング
２２    クリップ
２５    配線取り出し基準位置
２７    アクチュエータ
３１    外受板
３２    内受板
５１    送信機
【図１】
2007039991.tif 000003
【図２】
2007039991.tif 000004
【図３】
2007039991.tif 000005
【図４】
2007039991.tif 000006
【図６】
2007039991.tif 000007
【図７】
2007039991.tif 000008
【図８】
2007039991.tif 000009
【図９】
2007039991.tif 000010
【図１０】
2007039991.tif 000011
【図１１】
2007039991.tif 000012
【図１２】
2007039991.tif 000013
【図１３】
2007039991.tif 000014
【図１４】
2007039991.tif 000015
【図１５】
2007039991.tif 000016
【図１６】
2007039991.tif 000017
【図５】
2007039991.tif 000018